(57)【特許請求の範囲】
【請求項１】
庇の内部または裏面部に空洞部が形成され、前記空洞部に形成された吸気開口部から前記空洞部に取り入れられた外気が、前記空洞部の前記庇の付け根側に形成された排気開口部から、クラウン下縁部よりも下側に排出された後、帽子着用者の額部の、クラウンに覆われていない部分に当たるように構成されていることを特徴とする帽子の庇。
【請求項２】
前記空洞部の形状を保持するために、前記空洞部に、前記空洞部の上下面を支える空洞保持具が設けられていることを特徴とする請求項１に記載の帽子の庇。
【請求項３】
前記空洞部を形成するために、前記庇に、前記庇に固着していない空洞構築具が設けられていることを特徴とする請求項１又は２に記載の帽子の庇。
【請求項４】
前記空洞構築具が、前記空洞部の前記排気開口部と、前記庇の前部に設けられた前部開口部との間を前後にスライドすることで前記吸気開口部の開閉を行う、スライド空洞構築具であることを特徴とする請求項３に記載の帽子の庇。
【請求項５】
前記空洞構築具が着脱可能であることを特徴とする請求項３又は４に記載の帽子の庇。
【発明の詳細な説明】
【技術分野】
【０００１】  本発明は、帽子の庇部の内部に取り込んだ外気を、帽子着用者の額部の、クラウンに覆われていない部分に向けて吹き出す通気機能を有する庇に関するものである。
【背景技術】
【０００２】  額部には、高温時に発汗し、その汗が蒸発するときに発生する気化熱で額部の温度を下げ、ひいては頭部全体の温度調整を行うという大切な役目がある。しかしながら、帽子を着用すると、若干斜め下向きに形成されている帽子の庇部は、正面からの空気を庇部の上側に逃がすことが多く、その結果庇部の下側奥に位置する額部の、クラウンに覆われていない部分付近の空気の流通が悪くなり、結果的に頭部の温度調節がうまくおこなわれなかった。
この問題を回避するため、遮光のため庇部が正面に必要であるにもかかわらず、庇部を後側にした状態で帽子を被ることもあった。このような理由で、額部における通気性のよい帽子が望まれていた。【０００３】  特許文献１に記載のものは、空気取り入れ口から導入した外部空気を、漏れなくヘルメット内部に導入し、頭の、ヘルメットに覆われている部分に風を送るための物である。
そのため、特許文献１の第２図及び第７図から明らかなように、排出口がヘルメット内部に形成されている。
さらに、ヘルメット内側下縁部においてヘルメット本体内側に形成されたカバー８が着用者の額部に密着し空気の流通を妨げるので、ヘルメット内部に導入された外部空気は着用者の額部に当たることはない。【０００４】  また、特許文献２に記載のものも、外気をクラウン内部に送り込むことを目的として構成されており、ｆｉｇ．１から明らかなように、帽子着用者の額部の、クラウンに覆われていない部分に向けて外気を吹き出すための排気口は庇部に形成されていない。
【先行技術文献】
【特許文献】
【０００５】
【特許文献１】実開昭６３−１７５１２５号公報
【特許文献２】米国特許出願公開第２００２／０１６２１５９号明細書
【発明の概要】
【発明が解決しようとする課題】
【０００６】  従来、帽子を着用すると、前方から流れてくる空気を若干下向きに形成された庇が上方向に逃してしまい、庇の下側奥の額部付近では空気の流通は少なく、額部からの放熱が十分できず、使用者は不快を感じることがあった。【０００７】  本発明の目的は斯かる課題に鑑みてなされたもので、上記課題を解決することが出来る通気機能を有する庇を提供することである。
【課題を解決するための手段】
【０００８】  このような目的を達成するために、本発明の通気機能を有する庇は、庇の内部または裏面部に空洞部が形成され、前記空洞部に形成された吸気開口部から前記空洞部に取り入れられた外気が、前記空洞部の前記庇の付け根側に形成された排気開口部から、クラウン下縁部よりも下側に排出された後、帽子着用者の額部の、クラウンに覆われていない部分に当たるように構成されていることを特徴とする。
この様な構成のため、前記通気機能を有する庇は、帽子着用者の額部近辺の温まった空気を取り除き、額部の温度上昇を緩和し、帽子の快適な使用を可能にする。
また、本発明は、前記空洞部の形状を保持するために、前記空洞部に、前記空洞部の上下面を支える空洞保持具が設けられていることを特徴とする。
そのため、前記空洞部は外気を取り込むのに必要な形状を常に維持することが出来る。
また、本発明は、前記空洞部を形成するために、前記庇に、前記庇に固着していない空洞構築具が設けられていることを特徴とする。
そのため、通気機能を有する庇の製作過程で、前記空洞部の左右の壁を形成するために、庇の芯に特別な加工をする必要が無いので、現行の庇の製造工程を大きく変えずに、通気機能を有する庇を製造する事ができる。
また、本発明は、前記空洞構築具が、前記空洞部の前記排気開口部と、前記庇の前部に設けられた前部開口部との間を前後にスライドすることで前記吸気開口部の開閉を行う、スライド空洞構築具であることを特徴とする。
そのため、帽子着用者は季節に応じて、または状況に応じて前記吸気開口部の種類を選択することが出来ると共に、雨天の場合は上部開口部を塞ぎ雨水の進入を防ぐことが出来る。
また、本発明は、前記空洞構築具が着脱可能であることを特徴とする。
そのため、通気機能を必要としない場合に、前記空洞構築具を取り外すと、前記庇の外観が通気機能を有しない一般の帽子の庇の外観とほぼ同じになる。
【発明の効果】
【０００９】  本発明の、通気機能を有する庇を備えた帽子を着用すると、庇部に形成された一か所または複数個所の開口部から庇の内部に形成された大きな空洞部に取り込まれた外気を、庇の下側奥の額部付近に形成された開口部から着用者のクラウンに覆われていない額の部分に向けて排出することが出来るので、額部の放熱が効果的に行われ、帽子の快適な使用が可能になる。
【図面の簡単な説明】
【００１０】
【図１】（ａ）本発明の第２の実施形態の通気機能を有する庇を示す底面斜視図である。（ｂ）本発明の第２の実施形態の第１の変形例を示す断面図である。
【図２】本発明の第２の実施形態の第２の変形例を示す断面図である。
【図３】本発明の第２の実施形態の第２の変形例を示す上面斜視図である。
【図４】（ａ）開閉バネの上面斜視図である。（ｂ）図４（ａ）に示す開閉バネを、指で押して反対側に凹ませた変形例を示す上面斜視図である。（ｃ）図４（ａ）に示す開閉バネが組み込まれた蓋を示す上面斜視図である。（ｄ）図４（ｃ）に示す開閉バネが通気機能を有する庇に設けられた状態を示す上面斜視図である。（ｅ）庇開口部の後端部に蓋が形成された状態を示す上面斜視図である。
【図５】（ａ）本発明の第２の実施形態に使用される空洞構築具を示す底面斜視図である。（ｂ）本発明の第２の実施形態を示す底面斜視図である。
【図６】（ａ）本発明の第２の実施形態の第１の変形例を示す底面斜視図である。（ｂ）最前部に仕切が形成された空洞構築具を示す底面斜視図である。
【図７】本発明の第３の実施形態示す底面斜視図である。
【図８】（ａ）本発明の第２、３の実施形態に使用されるスライド空洞構築具を示す底面斜視図である。（ｂ）本発明の第２、３の実施形態に使用されるスライド空洞構築具の変形例１を示す底面斜視図である。（ｃ）本発明の第２、３の実施形態に使用されるスライド空洞構築具の変形例２を示す底面斜視図である。（ｄ）本発明の第２、３の実施形態に使用されるスライド空洞構築具の変形例３を示す底面斜視図である。
【図９】本発明の第２の実施形態の第１の使用例を示す底面斜視図である。
【図１０】本発明の第２の実施形態の第２の使用例を示す底面斜視図である。
【図１１】本発明の第２の実施形態の第３の使用例を示す底面斜視図である。
【図１２】本発明の第２の実施形態の第４の使用例を示す底面斜視図である。
【図１３】（ａ）本発明の第２、３の実施形態に使用される底面構成具を示す底面斜視図である。（ｂ）本発明の第２、３の実施形態に使用される底面構成具の第１の使用例（抜粋）を示す底面斜視図である。
【図１４】本発明の第３の実施形態の変形例を示す底面斜視図である。
【図１５】本発明の第１の実施形態の通気機能を有する庇を示す底面斜視図である。
【図１６】（ａ）一般的な野球帽の庇の構造を示す断面図である。（ｂ）本発明の第２の実施形態の一例を示す断面図である。
【図１７】小庇の上面斜視図である。
【発明を実施するための最良の形態】
【００１１】  以下、図面を参照して、本発明の一実施形態を説明する。【００１２】  通気機能を有する庇１には、例えば図１（ａ）に示すように、空洞部２が形成され、空洞部２には吸気開口部２１と排気開口部２５が形成される。排気開口部２５はクラウン下縁部よりも下側に形成される。
庇１の断面図である図１６（ｂ）に示すように、吸気開口部２１である上部開口部２２、前部開口部２３、下部開口部２４から空洞部２に取りいれられた外気は、庇接続部３６付近に形成された排気開口部２５からクラウン下縁部１１よりも下側に排出され、帽子着用者の額部の、クラウンに覆われていない部分に当たる。【００１３】  上部開口部２２は、庇上面材３１に形成された庇開口部３２により形成される。また、前部開口部２３は、庇１の前部である庇縁部３５及びその近辺において形成される。ここでいう「近辺」とは、庇縁部３５から１センチ以内のことである。また、下部開口部２４は、庇下面材３３に形成された庇開口部３２Ａにより形成される。
また、排気開口部２５は、庇１がクラウン１０と接している庇接続部３６付近において形成される。
上部開口部２２、前部開口部２３、下部開口部２４、排気開口部２５のサイズ、形状は額に充分な外気を送り込めるものであれば特に限定されない。
三つの吸気開口部２２、２３、２４の全てが同時に形成されもよいし、任意の二つが同時に形成されてもよいし、任意の一つが単独で形成されてもよい。
また、前部開口部２３及び下部開口部２４が形成されない構成の庇１の場合は、上部開口部２２の位置より前方の庇１の部分には空洞部２が形成されなくても良い。この場合、空洞部２の前部の区切りとなる間仕切りが形成されてもよい。
排気開口部２５は常時形成されていても良い。【００１４】  庇開口部３２に開閉自在の蓋３９を形成し、上部開口部２２からの吸気が必要ない時は蓋３９を閉じても良い。蓋３９の形成方法については後述する（図４）。
また、図示はしないが、前部開口部２３付近に、ファスナー、または面ファスナー等を取り付け、前部開口部２３を開閉自在に構成しても良い。
また、図２及び図３に示すように、効果的に外気を取り込む目的と、上部開口部２２から差し込んだ太陽の光が目に当たること防ぐ目的で、前方に向けて小さな小庇２６を形成してもよい。小庇２６は、図１７に示すように、上部開口部２２の上方を覆うように大きく形成されても良いし、庇１の上面に形成されたレール２６Ｒ，２６Ｒに嵌めこまれる形で着脱可能に取り付けられても良い。
また、排気開口部２５は額部に向かって開口するように形成されても良いし、風向案内板を備えていても良い。【００１５】  空洞部２、吸気開口部２１、排気開口部２５等の形成方法は特に限定されない。以下、空洞部２の形成方法に着目し、三つの実施形態例に分類し説明を行う。【００１６】  空洞部２は、庇１の形成段階から、庇１と一体化して、継ぎ目なく形成されても良い。このようなケースを本発明の第１実施形態とする。一例を図１５に示す。
また、空洞部２は、多層に形成された庇１において、庇１の内側に、庇上面材３１と庇下面材３３とに挟まれて形成されても良い。このようなケースを本発明の第２実施形態とする。
さらに、空洞部２は、図１４に示すように、着脱自在に外付けされた空洞構築具４Ａにより形成されても良い。このようなケースを本発明の第３実施形態とする。【００１７】  第２、第３実施形態において、空洞部２を形成するために設置される空洞構築具Ａは、着脱可能に構成されても良い。空洞構築具Ａを取り外すと、庇１の外観が、通気機能を有しない一般の帽子の庇の外観とほぼ同じになる。【００１８】  本発明の第１実施形態を説明する。庇１の形成段階から、庇１と一体化して、継ぎ目なく空洞部２が形成される。庇１と一体化し空洞部２が形成される方法は特に限定されなく、プラスチック成形による方法、またはプラスチック成形で庇１の原型を作成した後機械加工でくりぬく方法、または例えば三次元プリンター等の熱可塑性樹脂を用いた積層造形法による方法、等でも良い。図１５は空洞部２に上部開口部２２Ｉと前部開口部２３Ｉとが形成されている例である。【００１９】  本発明の第２実施形態の説明する前に、多層に形成された庇１の例の説明をする。
第２実施形態のように、多層に形成された庇１の内部に空洞部２が形成された場合、空洞部２の上側に位置する単独のまたは複数の層が庇上面材３１を形成し、空洞部２の下側に位置する単独のまたは複数の層が庇下面材３３を形成する（図１６（ｂ））。【００２０】  第２実施形態の説明を一般的な野球帽の庇を例にとって行う。一般的な野球帽の庇は、例えば図１６（ａ）の様に、プラスチック等により形成された芯材Ｅと、その上側を覆うスポンジ等で形成されたクッション材Ｆと、さらに芯材Ｅとクッション材Ｆ全体を覆う伸縮性のある布Ｇ等で形成されている。
多層に形成された庇１において、どの二つの層に挟まれて空洞部２が形成されるかは特に限定されないが、ここでは、例えば図１６（ｂ）に示すように、
芯材Ｅと、クッション材Ｆと、クッション材Ｆの上側に位置する布Ｇとで構成する庇上面材３１と、芯材Ｅの下側に位置する布Ｇで構成する庇下面材３３とに挟まれて空洞部２が形成される例で説明を行う。
布Ｇは空洞部２の一部を形成する場合の事を考慮し、通気性の無い素材で形成されることが望ましい。【００２１】  庇上面材３１の一部により、または庇下面材３３の一部により壁を作ることで庇１に空洞部２が形成される。
具体的な空洞部２の形成のされ方の一例としては、庇上面材３１の一部を構成する芯材Ｅの一部が、立ちさがって空洞部２の左右の壁となる壁３７Ｊ、３７Ｊを形成し、その二本の壁が伸縮性のある布Ｇで形成された庇下面材３３を押し下げることで空洞部２が形成されても良い。
また、庇下面材３３が伸縮性のある布等でなく、プラスチックの様な硬い素材で形成されている場合は、図１（ａ）に示すように、庇下面材３３の一部が立ちあがって空洞部２の左右の壁となる壁３７、３７を形成し空洞部２を形成しても良い。
壁３７Ｊ、３７Ｊ、または壁３７、３７は、庇接続部３６から庇縁部３５方向に、平行にあるいは扇状に延びて空洞部２を形成しても良い。【００２２】  前部開口部２３は、庇縁部３５近辺において、好ましくは庇部の最前部付近において、庇下面材３３と庇上面材３１とを離間させることにより、または庇下面材３３の一部を取り除いて形成されてもよい。
排気開口部２５は、  庇１がクラウン１０と接している庇接続部３６付近において、庇下面材３３と庇上面材３１とを離間させることにより形成されてもよいし、庇接続部３６付近で庇下面材３３の一部を取り除いて形成されてもよい。【００２３】  また、前部開口部２３及び下部開口部２４が形成されない構成の庇１の場合は、庇上面材３１または庇下面材３３の一部が立ちあがり、空洞部２の前部の区切りとなる間仕切りを形成してもよい。【００２４】  一対の左右の壁３７Ｊ、３７Ｊまたは３７、３７により形成された空洞部２がつぶれる可能性がある場合には、空洞部２の形状を保持するために、左右の壁３７Ｊ、３７Ｊまたは３７、３７の間に、空洞部２の上下面を支える空洞保持具４を形成しても良い。吸気開口部２１から排気開口部２５へ流れる空気の流通を妨げないように形成される空洞保持具４の形状は特に限定されなく、間仕切りの様であっても良いし（図１）、柱の様であっても良いし、また段ボールの一部を形成する、波状の平面体のように構成されても良い。
空洞保持具４は、庇上面材３１と庇下面材３３との両方に、または庇上面材３１と庇下面材３３とのどちらか一方に固着していても良いし、庇上面材３１と庇下面材３３とのどちらにも固着していなくても良い。【００２５】  次に空洞構築具４Ａについて空洞保持具４と相違するところを説明する。空洞構築具４Ａは空洞部２を形成するために、庇上面材３１と庇下面材３３とに挟まれて設置されても良い。空洞構築具４Ａは庇に固着していなくても良い。この時、壁３７Ｊ、３７Ｊまたは３７、３７は形成されなくても良い。【００２６】  空洞構築具４Ａの形状は特に限定されないが、ここでは、図５（ａ）に示すような、プラスチック等で形成した、長手方向に垂直な断面の形状がＵ字状のＵ字空洞構築具４Ｕを空洞構築具４Ａの一例として、説明をすすめる。
Ｕ字空洞構築具４Ｕは、略平らな面部である底板部４６Ｕが、伸縮性のある布Ｇで形成された庇下面材３３に接するように庇上面材３１と庇下面材３３との間に設置してもよい（図５（ｂ））。
Ｕ字空洞構築具４Ｕは、空洞部２Ｕを形成するのみならず、庇上面材３１と庇下面材３３と共に前部開口部２３Ｕと排気開口部２５Ｕとを形成する。【００２７】  前部開口部２３Ｕは、庇縁部３５近辺に、好ましくは庇部の最前部付近に形成され、排気開口部２５Ｕは、庇接続部３６近辺に形成される。【００２８】  Ｕ字空洞構築具４Ｕは、庇上面材３１の裏面に固着されていても良いし、庇上面材３１の裏面に固着されず、庇下面材３３に包まれるように設置されても良いし、また、敢えて壁３７または３７Ｊを形成し、壁３７、３７または、３７Ｊ、３７Ｊの間に挟まれて設置されても良い。【００２９】  Ｕ字空洞構築具４Ｕの形状は、長手方向に垂直な断面の形状がＵ字状であること以外は特に限定されない。排気開口部２５Ｕ側より前部開口部２３Ｕ側の方が横に広く広がった扇形の様な形状でもよい。
また、図５（ｂ）に示すように、Ｕ字空洞構築具４Ｕには、空洞部２Ｕの形状を保持するために、空洞構築具間仕切３８Ｕが形成されてもよい。空洞構築具間仕切３８Ｕは、排気開口部２５Ｕ方向へ流れる空気の流通を妨げないように形成される。形成される空洞構築具間仕切３８Ｕの数及び形状は特に限定されない。【００３０】  上部開口部２２のみを形成させる場合は、図６（ａ）に示すように、Ｕ字空洞構築具４Ｕを、長さが排気開口部２５ＵＳから庇開口部３２の前縁を含むまでの、短いＵ字空洞構築具４ＵＳと、残りの部分であるＵ字空洞構築具４ＵＴとに分割しても良い。分割された片方のＵ字空洞構築具４ＵＳを設置すると、Ｕ字空洞構築具４ＵＳの最前部４７ＵＳが庇の庇縁部３５に届かないので庇縁部３５に開口部は形成されない。このときは空洞部４ＵＳの前方からの外気の取り入れを考慮する必要が無いので、Ｕ字空洞構築具４ＵＳの前部に、図６（ｂ）に示すように、仕切り４０ＵＺを形成し、空洞部４ＵＳの前部を塞いでも良いし、庇下面材３３で空洞部４ＫＳの前部を塞ぐ壁３７Ｚを、または庇上面材３１で空洞部４ＫＳの前部を塞ぐ壁３７ＺＪを形成しても良い。【００３１】  Ｕ字空洞構築具４Ｕ、４ＵＳ、４ＵＴを着脱可能に構成するときは、着脱の操作が楽なように、これらＵ字空洞構築具４Ｕ等の前部と後部の幅を等しく形成しても良い。
また、Ｕ字空洞構築具４Ｕ等の空洞構築具４Ａを着脱可能に構成する一例としては、柔らかい伸縮性のある布地で形成されている庇下面材３３の庇接続部３６付近に、空洞構築具４Ａをくぐらすための進入部３を形成しても良いし、さらに庇縁部３５付近に、空洞構築具４Ａのための進入部３Ｕを形成しても良い（図６）。【００３２】  Ｕ字空洞構築具４Ｕまたは分割したＵ字空洞構築具４ＵＳを、進入部３または３Ｕから庇１の内部に正しく挿入し、正しい位置に留めるために、必要であれば庇接続部３６近辺から庇縁部３５の方向に延びて、庇上面材３１の裏面に左右一対のガイド、例えばレール５、５が形成されても良い。  また、Ｕ字空洞構築具４ＵまたはＵ字空洞構築具４ＵＳの一部をレール５に嵌め込めるように形成してもよい。
レール５にノッチを形成し、またＵ字空洞構築具４ＵまたはＵ字空洞構築具４ＵＳにもノッチに対応する凸部を形成し、互いをかみ合わせることで、挿入したＵ字空洞構築具４ＵまたはＵ字空洞構築具４ＵＳが正しい位置に留まるようにするロックを構成しても良い。ロックのリリースは庇の湾曲を緩めることで行っても良い。【００３３】  図示はしないが、Ｕ字空洞構築具４ＵまたはＵ字空洞構築具４ＵＳを装着するとき、これら空洞構築具４Ａに形成された突起物が庇開口部３２の蓋３９を押し開け、Ｕ字空洞構築具４ＵまたはＵ字空洞構築具４ＵＳを取り外す時はこれらの突起物が庇開口部３２の蓋３９を塞がせるように構成してもよい。【００３４】  分割したＵ字空洞構築具４ＵＳをセットした後、前部開口部２３からの吸気が必要な場合は、Ｕ字空洞構築具４ＵＳから分割されたＵ字空洞構築具４ＵＴを縁部３５に形成された進入部３Ｕから挿入しＵ字空洞構築具４ＵＳの前方に接続する。
また、Ｕ字空洞構築具４ＵＴを接続した後に庇開口部３２の蓋３９をとじると、前部開口部２３のみからの吸気が行われる。【００３５】  次に、Ｕ字空洞構築具４Ｕと同じく、空洞構築具４Ａの一形態であるスライド空洞構築具４Ｋについて、Ｕ字空洞構築具４Ｕと相違するところを説明する。
図８に示すスライド空洞構築具４Ｋは、空洞部２Ｋを形成するだけでなく、空洞部２Ｋの排気開口部２５Ｋと前部開口部２３Ｋとの間を前後にスライドすることで、吸気開口部２１Ｋの開閉及び庇開口部３２の開閉を行う（図９〜１２）。このようにスライド空洞構築具４Ｋは空洞部２Ｋへの吸気をコントロールする機能を持つ。【００３６】図８（ａ）に示すように、スライド空洞構築具４Ｋは、後板部４１Ｋ、スライド開口部４２Ｋ、前板部４３Ｋ、右側板部４４Ｋ、左側板部４５Ｋ、及び底板部４６Ｋから構成されている。
後板部４１Ｋの前後幅ａと前板部４３Ｋの前後幅ａ′とは、共に庇開口部３２の前後幅ａ″（図４（ｅ））と等しく形成されている（ａ＝ａ′＝ａ″）ので、後板部４１Ｋと前板部４３Ｋとは共に庇開口部３２を塞ぐことが出来る。
また、例えばスライド開口部４２Ｋの前後幅ｂは、庇開口部３２の前後幅ａ″の二倍（ｂ＝２ａ″）に形成されていることにより、後述する二つの条件のもとで上部開口部２２Ｋを形成することが出来る。
また、右側板部４Ｋと左側板部４５Ｋの長さｃは、後板部４１Ｋの前端が庇開口部３２の後端と一致したときに、底板部４６Ｋの前端が庇の先端付近に届くような長さになっている。【００３７】  図９に示すように、庇上面材３１と庇下面材３３との間に可動式に設置されたスライド空洞構築具４Ｋは、庇１内を前後に移動することで、庇上面材３１、庇下面材３３、庇開口部３２と共に空洞部２Ｋを形成し、上部開口部２２Ｋ、前部開口部２３Ｋを開閉する（図９〜１２）。
排気開口部２５Ｋは、スライド空洞構築具４Ｋの動きに関係なく、庇上面材３１と庇下面材３３とにより、または庇下面材３３の一部が離間することにより常時形成されていても良い。
図９では、後で詳しく説明するが、庇開口部３２が前板部４３Ｋによって塞がれているため、上部開口部２２Ｋは開口されていなく、さらにスライド空洞構築具４Ｋの最前部４７Ｋが庇縁部３５に届いていないので前部開口部２３Ｋも開口していない例を図示している。最後部４８Ｋは排気開口部２５Ｋの近くに位置している。【００３８】  庇上面材３１と庇下面材３３との間に設置されたスライド空洞構築具４Ｋは、前後方向に正しく、スムーズにスライド出来るように、壁３７または３７Ｊによって導かれてもよいし、図９に示すように、レール５によって導かれてもよい。【００３９】  次に、スライド空洞構築具４Ｋによる開口部の選択の仕方を説明する。【００４０】  まず、どの吸気開口部からも吸気しない場合の説明をする。図９に示すように、裏返した帽子の庇に、スライド空洞構築具４Ｋを底板部４６Ｋが庇下面材３３に接するように且つ最前部４７Ｋが庇縁部３５に向くように、そして庇開口部３２が前板部４３Ｋに重なるように取り付けると、庇開口部３２が塞がるので、空洞部２Ｋに上部開口部２２Ｋは形成されない。さらに、底板部４６Ｋの最前部４７Ｋは庇縁部３５に届かないので、庇縁部３５は庇の表面を構成する布等に覆われるなどして前部開口部２３Ｋも形成されない。したがって、どこからも空洞部２Ｋに外気が取り込まれない。【００４１】  次に、上部開口部２２Ｋからのみ吸気する場合の説明をする。図９に示された状態のスライド空洞構築具４Ｋを、図１０に示すように、前板部４３Ｋの後端８と庇開口部３２の前端８Ａとが一致するところまで前方にスライドさせると、庇開口部３２とスライド開口部４２Ｋの前半分とが重なり合い上部開口部２２Ｋが形成される。しかし、この時はまだ底板部４６Ｋの最前部４７Ｋは庇縁部３５に届かないので前部開口部２３Ｋは形成されない。したがって、外気は上部開口部２２Ｋからのみ空洞部２Ｋに取り込まれる。【００４２】  次に、上部開口部２２Ｋと前部開口部２３Ｋとの両吸気開口部から吸気する場合の説明をする。図１０示された状態のスライド空洞構築具４Ｋを、図１１に示すように、後板部４１Ｋの前端が庇開口部３２の後端に一致するところまで前方にスライドさせると、庇開口部３２とスライド開口部４２Ｋの後ろ半分とが重なり合い上部開口部２２Ｋは引き続き形成される。また同時に、底板部４６Ｋの最前部４７Ｋが庇縁部３５に届き、前部開口部２３Ｋが形成される。
したがって、外気は上部開口部２２Ｋと前部開口部２３Ｋとの両吸気開口部から空洞部２Ｋに取り込まれる。【００４３】  前部開口部２３Ｋが開口される庇縁部３５付近の庇下面材３３の一部は、伸縮性がある繊維にて粗く編まれた形成されていて、底板部４６Ｋの最前部４７Ｋが押し出てくると容易に引き伸ばされ、開口部の形成を妨げないように構成されていても良い。
また、押し出てきた最前部４７Ｋが容易に開口部を形成することが出来るように、開口予定部分において、伸縮性のある繊維で形成された庇下面材３３の一部に切れ目が形成されていても良い。この切れ目は、閉口時には、繊維の伸縮性により切れ目の両側が互いに接するなどして、自然と塞がれるように形成されても良いし、開閉自在にファスナー、または面ファスナー等が取り付けられていても良い。【００４４】  次に、前部開口部２３Ｋのみから吸気する場合の説明をする。図１１に示された状態のスライド空洞構築具４Ｋを、図１２に示すように、後板部４１Ｋの前端と庇開口部３２の前端とが一致するところまで前方にスライドさせると、後板部４１Ｋと庇開口部３２とが重なり、上部開口部２２Ｋは塞がれる。この時、底板部４６Ｋの最前部４７Ｋは庇縁部３５より前方に位置するので、前部開口部２３Ｋは引き続き形成されている。したがって、外気は前部開口部２３Ｋのみから空洞部２Ｋに取り込まれる。【００４５】  このようにスライド空洞構築具４Ｋが、空洞部２Ｋの排気開口部２５Ｋと前部開口部２３Ｋの間を前後にスライドし、位置を変えて吸気開口部２１Ｋの開閉を行うことで、空洞部２Ｋに外気を送り込む吸気開口部の種類及び数が選択され、吸気コントロールが行われる。
上部開口部２２Ｋの開閉が可能なスライド空洞構築具４Ｋを有する庇１には、上部開口部２２Ｋからの雨水及び太陽光線の進入を防ぐ目的で蓋３９を形成する必要はない。【００４６】スライド空洞構築具４Ｋがスライドし、空洞部２Ｋの中を移動しても、硬い素材で形成された庇下面材３３により空洞部２Ｋ全体の形状が確実に保持される場合は、底板部４６Ｋはスライド空洞構築具４Ｋの底部全体を覆うほどに大きく形成されなくてもよく、図８（ｂ）に示すように、最前部４７Ｋが庇縁部３５より前方に位置したときに前部開口部２３Ｋを形成するに十分なほどの大きさに形成されればよい。【００４７】  スライド空洞構築具４Ｋの前後方向スライドは、庇下面材３３が伸縮性のある布等で形成され、間接又は直接スライド空洞構築具４Ｋに指を掛けられる場合はその方法で行う。
庇下面材３３が硬い素材で形成されていて、指を掛けてスライド空洞構築具４Ｋをスライドさせることが出来ない場合は、図８（ａ）、（ｂ）に示すように、底板部４６Ｋにスライドつまみ７を、または前板部４３Ｋにスライドつまみ７Ａを形成し、庇下面材３３に形成されたスリット７１にスライドつまみ７または７Ａを差し込み、スリット７１から出ているスライドつまみ７または７Ａの先端部をつまんでスライド空洞構築具４Ｋの前後のスライドを行ってもよい（図１２）。【００４８】  庇下面材３３とスライド空洞構築具４Ｋとの間の摩擦が十分でないため、スライドさせたスライド空洞構築具４Ｋが安定して決まらない場は、図８（ａ）に示すように、底板部４６Ｋの下面に下方に向けて凸部Ｄを、また、前記庇下面材３３の上面に、スライド空洞構築具４Ｋを固定させるべき位置を考慮した凹部をそれぞれ形成し、凸部を凹部に嵌める方法でスライド空洞構築具４Ｋの位置決めをしても良い。
また、図示はしないが、スリット７１の適切な個所にノッチを形成してスライドつまみ７を引っ掛ける方法で、またはレール５に凹部を形成してスライド空洞構築具４Ｋの側板に形成された凸部を嵌めるような方法でスライド空洞構築具４Ｋの位置決めをしても良い。【００４９】  庇下面材３３が柔らかい布地で形成されたりしている場合で、スライド空洞構築具４Ｋが空洞部２Ｋの中を移動するため空洞部２Ｋ及び排気開口部２５Ｋの形状保持が難しい場合は、図１３（ａ）に示すように、スリット７２を設けた底面構成具６Ｋを形成しても良い。
底面構成具６Ｋは、図１３（ｂ）に示すように、スライド空洞構築具４Ｋを包むように、庇上面材３１と庇下面材３３とのあいだに設置される。
底面構成具６Ｋは、庇上面材３１に固定されていても良いし、底面構成具６Ｋの一部がレール５に着脱可能に嵌めこまれても良い。【００５０】  底面構成具６Ｋが形成されている場合は、底面構成具６Ｋに、スリット７１と重なるようにスリット７２が形成され、スライドつまみ７または７Ａが、重なったスリット７１とスリット７２との両方を貫くように差し込まれる。
また、底面構成具６Ｋが形成されている場合の、スライド空洞構築具４Ｋの位置決めは、スリット７２の適切な個所にノッチを形成して行ってもよい。【００５１】  また、上部開口部２２Ｋと前部開口部２３Ｋとのどちらか一方が常時開き、他方の開口部は開閉自在に構成してもよい。
上部開口部２２Ｋを常時開口させ、前部開口部２３Ｋが開閉自在になるように庇１を構成する場合は、前板部４３Ｋと後板部４１Ｋはあえて形成しなくてもよい。
また、前部開口部２３Ｋが常時開口し、上部開口部２２Ｋが開閉自在になるように庇１を構成する場合いは、スライド空洞構築具４Ｋが、後板部４１Ｋの前端が庇開口部３２の後端と一致した所と、それよりスライド空洞構築具４Ｋを前方にスライドさせた、後板部４１Ｋと庇開口部３２とが重なり、上部開口部２２Ｋは塞がれる所との２か所だけに位置するように構成する。この時、前板部４３Ｋは形成されなくてもよい。
位置決めは、底面構成具６におけるスリット７２の位置と長さ、及びノッチの位置を適切に形成することなどで行っても良い。【００５２】  上部開口部２２Ｋを有しないで、前部開口部２３ＫＺのみの開閉式吸気開口部を有する空洞部２ＫＺを形成する場は、庇開口部３２、後板部４１Ｋ、スライド開口部４２Ｋ、前板部４３Ｋ等は形成されなくてもよい。
また、上部開口部２２Ｋのみの開閉式吸気開口部を有する空洞部２ＫＳを形成する場合は、図８（ｃ）に示すように、Ｕ字空洞構築具４Ｕの場合と同じように、スライド空洞構築具４Ｋを、長さが最後部４８Ｋから前板部４３Ｋの前縁までの短いスライド空洞構築具４ＫＳと、残りの部分であるスライド空洞構築具４ＫＴとに分割する。
スライド空洞構築具４ＫＳを庇上面材３１と庇下面材３３との間に設置する。スライド空洞構築具４ＫＳがスライドしても底板部４６ＫＳの最前部４７ＫＳが庇縁部３５に届かないので前部開口部２３ＫＳは形成されない。
このときはスライド空洞部２ＫＳの前方からの外気の取り入れを考慮する必要が無いので、Ｕ字空洞構築具４ＵＳの仕切４０ＵＺならって、スライド空洞構築具４ＫＳの前部を塞ぐ仕切りを形成しても良いし、庇下面材３３で空洞部２ＫＳの前部を塞ぐ壁３７Ｚを、または庇上面材３１で空洞部２ＫＳの前部を塞ぐ壁３７ＺＪを形成しても良い。
また、図示はしないが、スライド空洞構築具４ＫＳにもスライドつまみが形成されても良い。【００５３】  第３実施形態の説明をする。庇１は、着脱可能に外付けされる前述のＵ字空洞構築具４Ｕ、スライド空洞構築具４Ｋ（図１４）等の空洞構築具４Ａを設けていても良い。
外付けの空洞構築具４Ａが取はずされた状態の庇１の表面部ＨＯから裏面部ＨＲまで貫いて開けられた庇開口部３２Ｂにより、上部開口部２２Ｂが形成される。空洞構築具４Ａは、裏面部ＨＲに外付けされる。
また、図７、１４に示すように、スライド空洞構築具４Ｋが裏面部ＨＲに設置されたレール５Ｅ等により外付けされてもよい。図７には、裏面部ＨＲにＵ字空洞構築具４Ｕが着脱可能に外付けされ、上部開口部２２Ｂと前部開口部２３Ｂと排気開口部２５Ｂとが開口している例が示されている。図１４には、裏面部ＨＲにスライド空洞構築具４Ｋが着脱可能に外付けされ、前部開口部２３Ｂと排気開口部２５Ｂとが開口している例が示されている。【００５４】  また、空洞構築具４Ａが外付けされた場合の前部開口部は、裏面部ＨＲと空洞構築具４Ａの最前部により形成され、排気開口部２５Ｂは裏面部ＨＲと空洞構築具４Ａの最後部とにより形成される。【００５５】  底面構成具６Ｋを外付けする場合は、底面構成具６Ｋの前縁部が庇縁部３５より手前になるように設置し、底面構成具６Ｋによる意図しない前部吸気開口部の形成を防いでも良い。【００５６】  また、外付けされた時のスライド空洞構築具４Ｋ、ＫＳのスライドは、底面構成具６Ｋに形成されたスリット７２に差し込まれたつまみ７、７Ａで行っても良い。
また、スライド空洞構築具４Ｋ、ＫＳの位置決めのために、レール５Ｅにノッチを形成しても良い。【００５７】  スライド空洞構築具４Ｋ、ＫＳは、スライドつまみ７、７Ａが、スリット７２に挿入され、底面構成具６Ｋと離れないように形成され、外付けされても落下する恐れはない。
外付けされるスライド空洞構築具４ＫＴが落下しないように、スライド空洞構築具４ＫＴにもスリット７２に差し込むスライドつまみ７Ｂを形成しても良い（図８（ｄ））。【００５８】  以上に説明したように、上部開口部２２は、庇１の上側に形成されているため、庇１の上側に流れた空気を捉え、空洞部２に取り込むことが出来る。
また、前部開口部２３は、庇縁部３５付近に、好ましくは庇部の最前部付近に形成されるため、庇１の上側に流れる直前の空気を空洞部２に取り込むことが出来る。
庇１が若干下向きに形成されているので、庇縁部３５付近に形成される前部開口部２３は、より効果的に外気を取り込めるように、開口部の下部が上部より若干前方にせり出して形成されても良い。【００５９】  上記と同様に、庇の下側に形成された下部開口部２４から空洞部２に外気を取り込むことも出来る。【００６０】  また、本発明の通気機能を有する庇１の特徴は、図２に示すように、排気開口部２５がクラウン下縁部１１より下に形成されていることである。この場所に排気開口部２５が形成されていることにより、大きい空洞部２に取り込まれた大量の外気が、帽子着用者の、クラウン１０に覆われていない額に向けて排出され、「額部からの放熱」という本発明の課題を解決することが出来る。
排気開口部２５から排出された外気の一部は、額部とクラウン下縁部１１との間に隙間が生じるように構成されている帽子の場合には、クラウン１０内部に取り込まれクラウン１０内部の通気を行う。【００６１】  本発明の通気機能を有する庇１のもう一つの特徴は、大きな容量の空洞部２を持つ事である。庇１の内部に形成される空洞部２の容量は、庇１を、例えば通常の野球帽の庇（１８ｃｍ×７ｃｍ）と同じサイズに想定すると、縦６ｃｍ、横１４ｃｍ、高さ１ｃｍの直方体の容量に相当する、８４立方センチメーターになることが可能である。
大きな容量の空洞部２を持つことが可能な庇１は、額部への大量の通気が望まれる激しい運動時の利用が期待できる。実用的には７．５立方センチメーター（３ｃｍ×５ｃｍ×０．５ｃｍ）〜６０立方センチメーター（６ｃｍ×１０ｃｍ×１ｃｍ）の容量を有する空洞部２を形成することが望ましい。【００６２】  庇開口部３２の蓋３９について説明する。例えば図４  に示すように、蓋３９の開閉にはスナップヘアクリップのメカニズムを利用してもよい。
スナップヘアクリップのような開閉バネ９、図４（ａ）、を形成し、開閉バネ９が組み込まれた蓋３９を図４（ｃ）のように形成する。
蓋３９の左右は庇上面材３１に固着されており、組み込まれた開閉バネ９が押し上げられている状態の蓋３９で、庇開口部３２が塞がれるように構成する。
蓋３９の中央部を下側に押し下げると、図４（ｄ）のように、蓋３９の中央部は下側にたわみ庇開口部３２は開かれ、開閉バネ９の作用で開かれた形状が維持される
また、蓋３９の中央部を上側に押し上げると、蓋３９の中央部は上側にたわみ、庇開口部３２は閉じられ、開閉バネ９の作用で閉じられた形状が維持される。
蓋３９の中央部を上側に押し上げるには、排気開口部２５から指をさし入れてもよい。
また、図示はしないが、蓋３９の表側中央部につまみを形成し、そのつまみをつまんで蓋３９の中央部を引き上げて庇開口部３２を開いてもよい。
また、蓋３９Ａの後端部が庇開口部３２の後端部に係合し、蓋３９Ａの表側中央部に形成されたつまみを引き上げると、図４（ｅ）のように、蓋３９Ａが後端部を軸に上方回動し庇開口部３２が開口するように形成されても良い。蓋３９Ａには側板が形成されていても良い。開口した状態の蓋３９Ａと側板とが前方から流れてくる空気を効果的に庇開口部３２に導く。この時、小庇は形成されない。【００６３】  本発明の各構成物を形成する素材は軽金属、プラスチック、グラスファイバー、化学繊維等、特に限定されないが、軽く、薄く、形状が崩れにくく、なお且つ丈夫に形成することの出来る素材が望ましい。
また、庇１を形成する各部のサイズと形状は特に限定しない。【００６４】  本発明の通気機能を有する庇１を使用することが出来る帽子としては、野球帽、鍔付きハット、サンバイザー等、庇のある被り物ものであれば種類を問わない。
【符号の説明】
【００６５】  １                  庇
２、２Ｕ、２ＵＳ、２Ｋ，２ＫＺ、２ＫＳ、２Ｉ  空洞部
３、３Ｕ            進入部
４                  空洞保持具
４Ａ                空洞構築具
４Ｕ、４ＵＳ、４ＵＴ        Ｕ字空洞構築具
４Ｋ、４ＫＳ、４ＫＴ    スライド空洞構築具
４ＡＳＺ            前壁
５、５Ｅ            レール
６Ｋ                底面構成具
７、７Ａ、７Ｂ      スライドつまみ
８                  前板部４３Ｋの後端
８Ａ                庇開口部３２の前端
９                  開閉バネ
１０                  クラウン
１１                  クラウン下縁部
２１、２１Ｋ          吸気開口部
２２、２２Ｋ、２２Ｂ、２２Ｉ  上部開口部
２３、２３Ｕ、２３Ｋ、２３ＫＳ、２３Ｂ、２３Ｉ  前部開口部
２４                  下部開口部
２５、２５Ｕ、２５Ｂ、２５Ｋ、２５Ｉ  排気開口部
２６                  小庇
２６Ｒ                レール
３１                  庇上面材
３２、３２Ａ、３２Ｂ  庇開口部
３３                  庇下面材
３５                  庇縁部
３６                  庇接続部
３７、３７Ｊ、３７Ｚ、３７ＺＪ      壁
３８Ｕ                空洞構築具間仕切
３９、３９Ａ          蓋
４０ＵＺ              仕切り
４１Ｋ                後板部
４２Ｋ                スライド開口部
４３Ｋ                前板部
４４Ｋ                右側板部
４５Ｋ                左側板部
４６Ｕ、４６Ｋ、４６ＫＳ  底板部
４７Ｕ，４７ＵＳ、４７Ｋ、４７ＫＳ  最前部
４８Ｕ、４８Ｋ        最後部
７１、７２            スリット
Ｄ                  凸部
Ｅ                  芯材
Ｆ                  クッション材
Ｇ                  布
ＨＯ      外付けの空洞構築具４Ａが取はずされた状態の庇１の表面部
ＨＲ      外付けの空洞構築具４Ａが取はずされた状態の庇１の裏面部
ａ                  後板部４１Ｋの前後幅
ａ′                前板部４３Ｋの前後幅
ａ″                庇開口部３２の前後幅
ｂ                  スライド開口部４２Ｋの前後幅
ｃ                  右側板部４Ｋまたは左側板部４５Ｋの長さ
【要約】
【課題】従来、帽子を使用すると、若干下向きに形成された庇が空気の流れを上方向に逃してしまうため、額部付近における空気の流通が少なく、不快になることがあった。
【解決手段】、庇部吸気開口部２１から、庇１内部に形成された空洞部２に取り入れられた外気が、空洞部２の、庇１の付け根側に開口した排気開口部２５から、クラウン下縁部１１より下側に排出され、帽子着用者の額部の、クラウン１０に覆われていない部分に当たる。
【選択図】図５【図１】
0005584950.tif 000002
【図２】
0005584950.tif 000003
【図３】
0005584950.tif 000004
【図４】
0005584950.tif 000005
【図５】
0005584950.tif 000006
【図６】
0005584950.tif 000007
【図７】
0005584950.tif 000008
【図８】
0005584950.tif 000009
【図９】
0005584950.tif 000010
【図１０】
0005584950.tif 000011
【図１１】
0005584950.tif 000012
【図１２】
0005584950.tif 000013
【図１３】
0005584950.tif 000014
【図１４】
0005584950.tif 000015
【図１５】
0005584950.tif 000016
【図１６】
0005584950.tif 000017
【図１７】
0005584950.tif 000018